(57)【要約】【課題】１本の釣竿を用いて釣りを行なう際に適用可能で、かつ取扱性の良い釣り用竿掛けを提供する。【解決手段】本発明に係る釣り用竿掛け１は、脚部３を保持する台座２と、この台座２に着脱自在に取り付けられる竿保持部７、及び竿掛け用アーム部５とを有している。前記台座２に取り付けた竿掛け用アーム部５は、竿保持部７の回り止め盤１０に当て付くことで脱落が防止されている。【選択図】図１
2008173069.tif 000002
【特許請求の範囲】
【請求項１】
脚部を保持する台座と、この台座に着脱自在に取り付けられる竿保持部、及び竿掛け用アーム部とを有する釣り用竿掛けであって、
前記台座に取り付けた竿掛け用アーム部は、前記竿保持部によって脱落が防止されていることを特徴とする釣り用竿掛け。
【請求項２】
前記竿掛け用アーム部と台座は互いに嵌合可能な凹凸部を有しており、
前記竿保持部は前記台座にネジ止めされると共に、前記竿掛け用アーム部はその取り外し方向に前記竿保持部に当接して脱落が防止されていることを特徴とする請求項１に記載の釣り用竿掛け。
【発明の詳細な説明】
【技術分野】
【０００１】
本発明は、複数本の釣竿を使用する際に用いられる釣り用竿掛けに関する。
【背景技術】
【０００２】
従来から、砂場や防波堤などで複数本の釣竿を用いて釣りを行なう場合、釣り用竿掛け（釣り用三脚と称することもある）が用いられている。一般的に、釣り用竿掛けは、特許文献１に開示されているように、台座と、この台座から下方に延びる３本の脚部と、台座から左右方向に延びて釣竿を安定して載せておくための波状に湾曲した竿掛け用アーム部とを有している。また、特許文献１に見られるように、前記台座の上方にＶ字状の竿掛け部を設けたものもある。
【０００３】
このような釣り用竿掛けは、複数本の釣竿を使用するときは竿掛け用アーム部を左右に延ばし、左右に釣竿を離して載置し、仕掛けが絡まないようにすることができる。
【特許文献１】実開昭６０−１１４６７４号
【発明の開示】
【発明が解決しようとする課題】
【０００４】
しかし、従来の釣り用竿掛けは、１本の釣竿で釣りを行なうときには竿掛け用アーム部が不要となり、また、その着脱も面倒なため取扱性に劣るという問題がある。特に、竿掛け用アーム部に釣竿を掛けていない状態で竿掛け用アーム部が左右に延びていると、風を受けて倒れ易くなるという不具合がある。
【０００５】
本発明は、上記した問題に基づいてなされたものであり、１本の釣竿を用いて釣りを行なう際に適用可能で、かつ取扱性の良い釣り用竿掛けを提供することを目的とする。
【課題を解決するための手段】
【０００６】
上記した目的を達成するために、本発明の釣り用竿掛けは、脚部を保持する台座と、この台座に着脱自在に取り付けられる竿保持部、及び竿掛け用アーム部とを有しており、前記台座に取り付けた竿掛け用アーム部は、前記竿保持部によって脱落が防止されていることを特徴とする。
【０００７】
上記した構成の釣り用竿掛けでは、複数本の釣竿を使用するときは、竿掛け用アーム部に夫々の釣竿を載置することができ、１本の釣竿を使用するときは、竿掛け用アーム部を取り外して竿保持部に掛けておくことができる。このため、竿掛け用アーム部によって風の影響を受けることがなくなる。また、竿掛け用アーム部は、竿保持部によって脱落が防止された状態であることから、竿保持部を台座から取り外すことで、容易に取り外すことが可能となり、取扱性が向上する。
【発明の効果】
【０００８】
本発明によれば、１本の釣竿を用いて釣りを行なう際に適用可能で、かつ取扱性の良い釣り用竿掛けが得られる。
【発明を実施するための最良の形態】
【０００９】
以下、本発明に係る釣り用竿掛けについて説明する。
図１から図５は、本発明に係る釣り用竿掛けの一実施形態を示す図であり、図１は、全体構成を示す正面図、図２は、竿保持部領域の一部側断面図、図３は、台座と竿掛け用アーム部の係合状態を示す一部上面断面図、図４は、台座から竿保持部と竿掛け用アーム部を取り外した状態を示す一部側断面図、そして、図５は、台座から竿掛け用アーム部を取り外して竿保持部のみを取り付けた状態を示す一部側断面図である。
【００１０】
釣り用竿掛け１は、台座２と、この台座２に対して回動可能に軸着された三本の脚部３を備えている。三本の脚部３は、台座２に対して左右に並設されており、支軸３ａによって、三本の脚部は並んで収納状態となり、かつ左右両側の脚部を左右及び後方側に開き、かつ中央の脚部を前方側に開くことで、起立状態で地面に設置可能となっている。なお、各脚部は、伸縮機構を備えていても良い。
【００１１】
前記台座２は、正面視で略台形状に形成されており、正面側の側面に竿掛け用アーム部５が着脱可能に取り付けられ、その上面に竿保持部（竿保持装置）７が着脱可能に取り付けられている。
【００１２】
前記竿掛け用アーム部５は、複数本の釣竿を掛ける（釣竿の基端側を載置する）ための、左右に延出する一対の波状のアーム部５ａと、一対のアーム部５ａの基端部を支持する支持部５ｂを備えている。この場合、アーム部５ａは、支持部５ｂに対して固定されていても良いし、回動して折り畳めるように構成されていても良い。また、この竿掛け用アーム部５は、竿保持部７によって、脱落することが防止された状態となっている（詳細な構造については後述する）。
【００１３】
竿掛け用アーム部５の支持部５ｂは、前記台座２に対して嵌合可能に構成されている。具体的には、台座２と支持部５ｂは、図３に示すように、互いに係合可能な凹凸部を有しており、これらが係合することで上下方向に沿って嵌合するようになっている。より具体的には、台座２の正面側には、上方側に開口し、断面Ｌ字形状に屈曲された一対の係止部２ａが形成されており、支持部５ｂには、係止部２ａが嵌り込むように溝部５ｃを具備した係合部５ｄが一体形成されている。これにより、竿掛け用アーム部の支持部５ｂに設けた係合部５ｄを、溝部５ｃと台座２の係止部２ａが一致した状態で上方側の開口から溝部５ｃに沿って差し込むことで、竿掛け用アーム部５は台座２に対して着脱自在に取り付けることが可能となる。
【００１４】
前記台座２の上面に取り付けられる竿保持部７は、略弓型形状で前後方向に延出した前方腕部７ａ及び後方腕部７ｂを有している。前方腕部７ａの先端には、竿を載置する竿掛け部７ｃが一体形成されており、後方腕部７ｂの先端には、竿の基端部に対して上方側から当て付いて竿を受ける竿受け部７ｄが一体形成されている。すなわち、釣竿は、竿掛け部７ｃ及び竿受け部７ｄによって保持されるようになって竿保持装置を形成している。なお、前記竿受け部７ｃは、釣竿を固定するクランプを備えていても良い。
【００１５】
竿保持部７は、その中央部分に設けた貫通孔７ｅに、上方にツマミ９ａを有するネジ９を差込み、回り止め盤１０を介して台座２の上面に着脱可能にネジ止めされている。このため、回り止め盤１０及び台座２には、貫通孔７ｅに一致するように雌ネジ部１０ｅ，２ｅが形成されている。また、回り止め盤１０は、その下面側に形成された凸部１０ａが台座２の上面に形成された凹部２ｃに嵌合することで回動が規制されている。さらに、回り止め盤１０の上面側には、方向選択可能な凸部１０ｂが形成されており、竿保持部７の中央下面側に形成された凹部７ｆを凸部１０ｂに嵌合させる際、竿保持部７の方向を選択できるように構成されている。
【００１６】
前記竿保持部７を回り止め盤１０を介して台座２に取り付けると、竿保持部７の下側、詳細には回り止め盤１０の下面１０ｄが台座２の前方側に設けた係止部２ａの上方側開口を覆うようになっている。このとき、台座２に竿掛け用アーム部５が取り付けられていると、竿掛け用アーム部５の支持部５ｂから上方に延びて形成される抜け止め用突部５ｅが、竿保持部７の回り止め盤１０の下面１０ｄ（度当てとして機能する）に当接し、竿掛け用アーム部５はぐらつくことなく、上方への移動が規制されて台座からの脱落が防止された状態となる。
【００１７】
また、竿掛け用アーム部５を台座２から取り外すときは、図４に示すように、ネジ９を緩めて竿保持部７を取り外してから竿掛け用アーム部５の支持部５ｂの係合部５ｄを台座２の係止部２ａから上方に引き抜いて、係止部２ａと係合部５ｄの嵌合関係を解除する。
【００１８】
なお、竿保持部７は、上述したように、回り止め盤１０に対して、周方向に方向を替えて取り付けることができるため、例えば、竿受け部７ｃを竿掛け用アーム部５側に取り付けることも可能である。
【００１９】
上記した構成の釣り用竿掛けによれば、多くの釣竿を使用するときは、左右のアーム部５ａに釣竿を立て掛ければ良く、さらには、竿保持部７においても釣竿を保持することが可能である。
【００２０】
また、１本の釣竿を使用するときは、図５に示すように、台座２に竿保持部７のみを取り付けるとバランスが取れ、釣り用竿掛けが倒れ難くなり、特に、風の影響を受け難くすることができる。もちろん、竿保持部７の回り止め盤１０のみをネジ９で台座２に取り付けることで、竿掛け用アーム部５のみを台座２に取り付けて釣竿を掛けるようにしても良い。
【００２１】
上記したように、竿掛け用アーム部５は、台座２に対して、竿保持部７（回り止め盤１０）によって脱落が防止されている状態であることから、竿保持部７を台座２から取り外すだけで、台座２から容易に取り外すことができ、取扱性が良くなる。特に、本実施形態では、竿掛け用アーム部５は、台座２に対して上下方向に沿って着脱可能となっており、上方への取り外しを竿保持部７によって規制している構成であることから、構造が簡略化され、かつ取扱も簡単となる。
【００２２】
以上、本発明の実施形態について説明したが、本発明は、上記した実施形態に限定されることはなく、種々変形することが可能である。例えば、竿掛け用アーム部５は、竿保持部７によって、台座２からの脱落が阻止されていれば、両者の係合関係については、種々変形することが可能である。
【図面の簡単な説明】
【００２３】
【図１】釣り用竿掛けの一実施形態を示す図であり、全体構成を示す正面図。
【図２】竿保持部領域の一部側断面図。
【図３】台座と竿掛け用アーム部の係合状態を示す一部上面断面図。
【図４】台座から竿保持部と竿掛け用アーム部を取り外した状態を示す一部側断面図。
【図５】台座から竿掛け用アーム部を取り外して竿保持部のみを取り付けた状態を示す一部側断面図。
【符号の説明】
【００２４】
１  釣り用竿掛け
２  台座
２ａ  係止部
３  脚部
５  竿掛け用アーム部
５ｂ  支持部
５ｄ  係合部
７  竿保持部
１０  回り止め盤
【図１】
2008173069.tif 000003
【図２】
2008173069.tif 000004
【図３】
2008173069.tif 000005
【図４】
2008173069.tif 000006
【図５】
2008173069.tif 000007